【手続補正書】
【提出日】平成18年2月24日(2006.2.24)
【手続補正１】
【補正対象書類名】明細書
【補正対象項目名】発明の名称
【補正方法】変更
【補正の内容】
【発明の名称】コンテンツを再生する再生装置、再生方法、プログラム
【手続補正２】
【補正対象書類名】明細書
【補正対象項目名】特許請求の範囲
【補正方法】変更
【補正の内容】
【特許請求の範囲】
【請求項１】
コンテンツを再生する再生装置であって、
秘密鍵を保持している保持手段と、
秘密鍵暗号方式により暗号化された暗号化鍵情報を取得し、前記秘密鍵を用いて復号して鍵情報を得る鍵情報復号手段と、
前記鍵情報が前記秘密鍵の更新に用いる鍵更新情報であるとき、当該鍵更新情報に基づいて新たな秘密鍵を生成し、前記保持手段に保持させる生成手段と、
前記鍵情報が復号鍵であるとき、暗号化された暗号化コンテンツ鍵を、前記復号鍵を用いて復号し、スクランブルされたコンテンツを、復号した前記コンテンツ鍵を用いてデスクランブルするコンテンツ再生手段と
を備えることを特徴とする再生装置。
【請求項２】
前記鍵情報には、鍵更新情報であることを示す識別子又は復号鍵であることを示す識別子が付加されており、
前記再生装置は、さらに、
前記鍵情報復号手段により得られた鍵情報が、鍵更新情報であるか復号鍵であるかを識別子に基づいて判定する判定手段を備えること
を特徴とする請求項１に記載の再生装置。
【請求項３】
前記鍵情報は、ＥＭＭ（Ｅｎｔｉｔｌｅｍｅｎｔ  Ｍａｎａｇｅｍｅｎｔ  Ｍｅｓｓａｇｅｓ）に含まれており、
前記再生装置は、さらに、
前記秘密鍵により暗号化されたＥＭＭを含む放送データを受信し、暗号化された鍵情報を得る放送受信手段を備え、
前記鍵情報復号手段は、
前記放送受信手段により得られる暗号化された鍵情報を取得すること
を特徴とする請求項２に記載の再生装置。
【請求項４】
前記生成手段は、さらに、
再生装置毎、再生装置の生産ロット毎、再生装置の機種毎又は再生装置のメーカ毎に異なる所定の変換に基づいて新たな秘密鍵を生成すること
を特徴とする請求項１に記載の再生装置。
【請求項５】
前記鍵更新情報は、新たな秘密鍵の元となるシード情報を含み、
前記生成手段は、
前記シード情報に所定の変換を施して新たな秘密鍵を生成すること
を特徴とする請求項１に記載の再生装置。
【請求項６】
前記鍵更新情報は、秘密鍵の更新を指示するトリガ情報であり、  
前記生成手段は、さらに、
前記トリガ情報に応じて前記秘密鍵を管理する鍵管理装置に秘密鍵の元となるシード情報の取得要求信号を送信する送信手段と、
前記取得要求信号に応じて前記鍵管理装置が送信するシード情報を受信するシード情報受信手段とを備え、
前記生成手段は、
前記シード情報受信手段により受信されたシード情報に所定の変換を施して新たな秘密鍵を生成すること
を特徴とする請求項１に記載の再生装置。
【請求項７】
前記鍵更新情報は、新たな秘密鍵の元となるシード情報を含み、
前記生成手段は、さらに、
１回又は複数回ごとに異なるイベント情報を出力する出力手段を備え、
前記生成手段は、
所定の変換により、前記シード情報及び前記イベント情報に基づいて新たな秘密鍵を生成し、
前記再生装置は、さらに、
前記出力手段により出力された前記イベント情報を前記秘密鍵を管理する鍵管理装置に送信する送信手段を備えること
を特徴とする請求項１に記載の再生装置。
【請求項８】
前記保持手段は、
再生装置毎、再生装置の生産ロット毎、再生装置の機種毎又は再生装置のメーカ毎に個別の秘密鍵を保持していること
を特徴とする請求項１に記載の再生装置。
【請求項９】
前記再生装置は、再生装置毎、再生装置の生産ロット毎、再生装置の機種毎又は再生装置のメーカ毎に個別のＩＤを有し、
前記生成手段は、
前記シード情報及び前記ＩＤに所定の変換を施して新たな秘密鍵を生成すること
を特徴とする請求項１に記載の再生装置。
【請求項１０】
秘密鍵を保持する保持部を有する再生装置が、コンテンツを再生する再生方法であって、
秘密鍵暗号方式により暗号化された暗号化鍵情報を取得し、前記秘密鍵を用いて復号して鍵情報を得る鍵情報復号ステップと、
前記鍵情報が前記秘密鍵の更新に用いる鍵更新情報であるとき、当該鍵更新情報に基づいて新たな秘密鍵を生成し、前記保持部に保持させる生成ステップと、
前記鍵情報が復号鍵であるとき、暗号化された暗号化コンテンツ鍵を、前記復号鍵を用いて復号し、スクランブルされたコンテンツを、復号した前記コンテンツ鍵を用いてデスクランブルするコンテンツ再生ステップと
を含むことを特徴とする再生方法。
【請求項１１】
秘密鍵の保持部を有するコンピュータにコンテンツを再生させるプログラムであって、
秘密鍵暗号方式により暗号化された暗号化鍵情報を取得し、前記秘密鍵を用いて復号して鍵情報を得る鍵情報復号ステップと、
前記鍵情報が前記秘密鍵の更新に用いる鍵更新情報であるとき、当該鍵更新情報に基づいて新たな秘密鍵を生成し、前記保持部に保持させる生成ステップと、
前記鍵情報が復号鍵であるとき、暗号化された暗号化コンテンツ鍵を、前記復号鍵を用いて復号し、スクランブルされたコンテンツを、復号した前記コンテンツ鍵を用いてデスクランブルするコンテンツ再生ステップと
を含むことを特徴とするプログラム。
【手続補正３】
【補正対象書類名】明細書
【補正対象項目名】００２１
【補正方法】変更
【補正の内容】
【００２１】
【課題を解決するための手段】
上記目的を達成するために、本発明に係るコンテンツを再生する再生装置は、秘密鍵を保持している保持手段と、秘密鍵暗号方式により暗号化された暗号化鍵情報を取得し、前記秘密鍵を用いて復号して鍵情報を得る鍵情報復号手段と、前記鍵情報が前記秘密鍵の更新に用いる鍵更新情報であるとき、当該鍵更新情報に基づいて新たな秘密鍵を生成し、前記保持手段に保持させる生成手段と、前記鍵情報が復号鍵であるとき、暗号化された暗号化コンテンツ鍵を、前記復号鍵を用いて復号し、スクランブルされたコンテンツを、復号した前記コンテンツ鍵を用いてデスクランブルするコンテンツ再生手段とを備えることを特徴とする。
【手続補正４】
【補正対象書類名】明細書
【補正対象項目名】０１１３
【補正方法】変更
【補正の内容】
【０１１３】
【発明の効果】
本発明に係るコンテンツを再生する再生装置は、秘密鍵を保持している保持手段と、秘密鍵暗号方式により暗号化された暗号化鍵情報を取得し、前記秘密鍵を用いて復号して鍵情報を得る鍵情報復号手段と、前記鍵情報が前記秘密鍵の更新に用いる鍵更新情報であるとき、当該鍵更新情報に基づいて新たな秘密鍵を生成し、前記保持手段に保持させる生成手段と、前記鍵情報が復号鍵であるとき、暗号化された暗号化コンテンツ鍵を、前記復号鍵を用いて復号し、スクランブルされたコンテンツを、復号した前記コンテンツ鍵を用いてデスクランブルするコンテンツ再生手段とを備えることを特徴とする。
【手続補正５】
【補正対象書類名】明細書
【補正対象項目名】０１３１
【補正方法】変更
【補正の内容】
【０１３１】
これにより、再生装置がリバースエンジニアリングにより不正に解析され、秘密鍵の変換方式が漏洩したとしても、対策の対象となる再生装置が絞られる。
本発明に係る、秘密鍵を保持する保持部を有する再生装置が、コンテンツを再生する再生方法は、秘密鍵暗号方式により暗号化された暗号化鍵情報を取得し、前記秘密鍵を用いて復号して鍵情報を得る鍵情報復号ステップと、前記鍵情報が前記秘密鍵の更新に用いる鍵更新情報であるとき、当該鍵更新情報に基づいて新たな秘密鍵を生成し、前記保持部に保持させる生成ステップと、前記鍵情報が復号鍵であるとき、暗号化された暗号化コンテンツ鍵を、前記復号鍵を用いて復号し、スクランブルされたコンテンツを、復号した前記コンテンツ鍵を用いてデスクランブルするコンテンツ再生ステップとを含むことを特徴とする。
【手続補正６】
【補正対象書類名】明細書
【補正対象項目名】０１３３
【補正方法】変更
【補正の内容】
【０１３３】
したがって、秘密鍵の更新後は、正当な再生装置のみがコンテンツを再生でき、不正な再生装置によるコンテンツの再生を排除することができる。
本発明に係る、秘密鍵の保持部を有するコンピュータにコンテンツを再生させるプログラムは、秘密鍵暗号方式により暗号化された暗号化鍵情報を取得し、前記秘密鍵を用いて復号して鍵情報を得る鍵情報復号ステップと、前記鍵情報が前記秘密鍵の更新に用いる鍵更新情報であるとき、当該鍵更新情報に基づいて新たな秘密鍵を生成し、前記保持部に保持させる生成ステップと、前記鍵情報が復号鍵であるとき、暗号化された暗号化コンテンツ鍵を、前記復号鍵を用いて復号し、スクランブルされたコンテンツを、復号した前記コンテンツ鍵を用いてデスクランブルするコンテンツ再生ステップとを含むことを特徴とする。